(57)【要約】【課題】  使用位置を可変に構成された入力操作装置を省スペースに設置することができ、いずれの使用位置においても表示装置の表示部の視認性を確保しつつ入力操作装置の操作性を損なうことがない画像形成装置を提供する。【解決手段】  この発明の画像形成装置１は、筐体２、入力操作装置３、および表示装置４を備える。入力操作装置３は上面側に入力操作部３１が形成される。入力操作装置３は筐体天面２１の正面２２側に配設される。入力操作装置３は筐体天面２１に沿って使用位置を可変に構成される。表示装置４は正面側に表示部４１が形成される。表示装置４は正面側に表示部４１が形成される。入力操作装置３は表示部４１を視認しやすい位置に回動される。【選択図】  図２
2018012342.tif 000002
【特許請求の範囲】
【請求項１】
筐体と、
天面側に入力操作部を有し、前記筐体天面の正面側に配設され、前記入力操作部の位置を可変に構成された入力操作装置と、
表示装置と、を備え、
前記入力操作装置は、前記表示装置の配設位置から遠い側の端部を支点として、前記表示装置の配設位置から近い側の端部を変位させる、画像形成装置。
【請求項２】
前記入力操作装置は、前記筐体天面に対する前記入力操作部の傾斜角が変位自在に構成される、請求項１に記載の画像形成装置。
【請求項３】
前記入力操作装置の変位量を所定の範囲で規制する規制部材を備える、請求項１又は２に記載の画像形成装置。
【請求項４】
前記入力操作装置の変位量の範囲内の複数の位置のそれぞれで前記入力操作装置を固定するための固定手段を備える、請求項１〜３のいずれかに記載の画像形成装置。
【請求項５】
前記表示装置を前記筐体天面上で支持する支持構造体を備え、前記支持構造体は、前記筐体天面に取付けられる支柱と、前記支柱に回動自在に固定される支持アームと、前記支持アームの先端に配設される回動部材と、を備える、請求項１に記載の画像形成装置。
【請求項６】
前記入力操作部に複数のハードウェアキーが配列される、請求項１〜５のいずれかに記載の画像形成装置。
【請求項７】
前記入力操作部にポインティングデバイスがさらに設けられた、請求項６に記載の画像形成装置。
【請求項８】
前記表示装置は薄型ディスプレイである、請求項１〜７のいずれかに記載の画像形成装置。
【発明の詳細な説明】
【技術分野】
【０００１】
本発明は、複写機、プリンタ、ファクシミリ装置またはそれらの複合機等の画像形成装置に関する。
【背景技術】
【０００２】
複合機等の画像形成装置は、ユーザによる各種設定や、画像形成処理の開始の指示を受け付けるための操作表示部を有している。操作表示部は、メニューや設定内容を表示する表示部と、ユーザが設定値等を入力するための操作部と、を有している。表示部はタッチパネルとなっており、ユーザは表示部に表示されたキー（ソフトウェアキー）を押すことでも画像形成装置の操作ができる。
【０００３】
近年、多機能化によって、画像読取装置によりスキャンされた原稿を、電子メールに添付して相手に送信する機能を有する画像形成装置がある。このような画像形成装置の場合、送り先の電子メールアドレスを入力する必要があるのだが、一般に電子メールアドレスは１０文字程度のものから、長いものでは数十文字程度と比較的多くの文字から構成されており、また、英字・数字・記号等、入力する文字種も多いため、入力に時間がかかることがある。
【０００４】
そのような問題を解決するものとして、パソコンで一般的に使用されているキーボードと同じ配列で、ソフトウェアキーを配置した、ソフトウェアキーボードを表示する操作表示部がある。ソフトウェアキーボードを用いることで、ユーザは両手での入力操作が行いやすくなり、複数の文字種から構成される電子メールアドレスのような文字列であっても、すばやく入力することが可能となる。
【０００５】
しかしタッチパネルを使用してのソフトウェアキーボードの操作は即応性が悪く、感覚的な面も含めても使い勝手がハードウェアキーボードに及ばない。
【０００６】
そこで、特許文献１には、ハードウェアキーボードおよびディスプレイがユニット化された操作表示部を、画像形成装置の筐体の設置面に対して平行で筐体から突出するように設けられた支持アームに回動部材を介して固定することが提案されている。固定部材は操作表示部を画像形成装置の設置面に対して略垂直から水平までの範囲内で回動させることが可能に構成されている。これにより、身長の違いなどによってユーザの目線の位置が異なっても各ユーザが自身の目線に合わせて操作表示部の角度を調整することで、違和感のない操作性および視認性を実現している。
【先行技術文献】
【特許文献】
【０００７】
【特許文献１】特開２００６−３４７０９０号公報
【発明の概要】
【発明が解決しようとする課題】
【０００８】
しかしながら特許文献１ではハードウェアキーボードとディスプレイが一体化された操作表示部が画像形成装置の筐体から設置面に平行に突出する支持アームに支持されるので画像形成装置の設置スペースが大きくなる。また、操作表示部は不安定な支持アームを土台にして支持されるので、操作性に難がある。
【０００９】
本発明はこのような状況に鑑みてなされたものであり、使用位置を可変に構成された入力操作装置を省スペースに設置することができ、いずれの使用位置においても表示装置の表示の視認性を確保しつつ入力操作装置の操作性を損なうことがない画像形成装置を提供することを目的とする。
【課題を解決するための手段】
【００１０】
この発明の画像形成装置は、筐体、入力操作装置、および表示装置を備える。入力操作装置は、天面側に入力操作部を有し、筐体天面の正面側に配設される。入力操作装置は入力操作部の位置を可変に構成される。入力操作装置は、表示装置の配設位置から遠い側の端部を支点として、表示装置の配設位置から近い側の端部が変位される。
【００１１】
この構成によると、入力操作装置が安定した土台（筐体天面）に支持されるので入力操作部の位置が変更されても操作性が低下しない。また、表示装置との位置関係で入力操作装置の使用位置が変更される。この場合、表示装置の配設位置から近い側の端部を変位させることで、表示装置と、すばやく正対するよう操作される。なお、表示装置の具体例は薄型ディスプレイである。入力操作部には例えば複数のハードウェアキーが配列される。入力操作部にさらにポインティングデバイスが一体に設けられてもよい。
【発明の効果】
【００１２】
この発明によると、使用位置を可変に構成された入力操作装置を省スペースに設置することができ、いずれの使用位置においても表示装置の表示の視認性を確保しつつ入力操作装置の操作性を損なうことがない。
【図面の簡単な説明】
【００１３】
【図１】本発明の実施形態に画像形成装置の外観を示す斜視図である。
【図２】上記画像形成装置の筐体天面部を示す斜視図である。
【図３】上記画像形成装置の筐体天面部を示す平面図である。
【図４】上記画像形成装置の筐体天面部に配設された入力操作装置を示す斜視図である。
【図５】上記画像形成装置の筐体天面部に配設された表示装置を示す側面図である。
【図６】入力操作装置の回動機構を分解して示す斜視図である。
【図７】他の実施形態にかかる入力操作装置の概略を示す側面図である。
【図８】（Ａ）は同入力操作装置の回動機構を示す正面図で、（Ｂ）は同回動機構を示す側面図である。
【図９】入力操作装置の他の例を示す図である。
【発明を実施するための形態】
【００１４】
以下、図面を参照して本発明を実施するための形態を説明する。画像形成装置１の構成を概説すると、筐体２の内部に、不図示の感光体ドラム、給紙部、潜像形成手段、現像手段、転写手段、定着手段および排紙部を備える。感光体ドラムおよび転写手段は給紙部から排紙部へ至る所定の用紙搬送路に沿って配置される。
【００１５】
本発明画像形成装置の第１の実施形態について説明する。
【００１６】
図１に示すように、前記筐体２には入力操作装置３および表示装置４が配設される。
【００１７】
筐体２は全体として略直方体であり、外観は天面２１、正面２２、左側面２３、右側面２４、背面２５および底面２６で構成されている。筐体天面２１には不図示の原稿台が設置される。この原稿台を覆う開閉カバー５には自動原稿送り装置（ＡＤＦ）６が配設される。原稿台とＡＤＦ６は原稿の種類や部数によって使い分けられる。
【００１８】
筐体２の下方には多段式の給紙カセット７が引き出し自在に装着される。給紙カセット７の引き手は筐体正面２２側に配置される。筐体天面２１の直下に、筐体正面２２および筐体左側面２３に開放される空洞として胴内排紙部８が形成される。筐体右側面２４には開閉式の手差し給紙トレイ９が設けられる。筐体底面２６の例えば４隅など適所に複数の支持脚１０が設けられる。画像形成装置１は支持脚１０によって床面上に支持される。
【００１９】
本発明は筐体天面２１およびその周辺の構造に特徴を備える。以下、詳述する。
【００２０】
図２、図３に示すように、筐体天面２１の正面２２側に入力操作装置３が配設される。筐体天面２１は開閉カバー５およびＡＤＦ６がエリアの大半を占めているが、図４に示すようにこの占有エリアは筐体天面２１の左側面２３側に偏在して形成される。このため筐体天面２１上で、正面２２側、右側面２４側および背面２５側にＵ字状に跨ったエリアは比較的空いていて、追加の部品やユニットを配設するためのスペースとして利用できる。
【００２１】
図４に示すように、筐体天面２１の正面２２側の略右半分のエリアは一段低くなるように窪んだ開放型の凹ステージ２１１が形成されている。凹ステージ２１１は後述する板状の入力操作装置３がジャストサイズで収容される窪みでもある。凹ステージ２１１は筐体天面２１の一部を構成するものである。凹ステージ２１１の左側面は筐体２内部の空間に通ずる不図示の開口が大きく空いており、この開口から正面視における幅方向一端部（図では左端部。）を挿入する形で入力操作装置３が凹ステージ２１１上に設けられる。
【００２２】
入力操作装置３は板状の枠体３０で周囲を囲われて、上面側に入力操作部３１を有する。入力操作装置３は一例として入力操作部３１に文字、数字、記号などの入力に対応した複数のハードウェアキー３１１が配列されたハードウェアキーボードである。本実施形態では、入力操作部３１にはハードウェアキー３１１群の隣に、指を使用した感覚的な操作に対応したポインティングデバイス３１２も附設される。
【００２３】
入力操作装置３の枠体３０は入力操作部３１の形成された胴部３０１の幅方向一端側（同図では左端側。）に、凹ステージ２１１の開口への挿入代と回動代の役割を持つ脇部３０２が延長された形状である。入力操作装置３の枠体の脇部の凹ステージ２１１の開口に挿入された先端（不図示。）は大きく口が空いていて、入力操作装置３と筐体２内部の不図示の制御基板と接続するための不図示のハーネスを露出させることなくこの口を通して露出させることなく引き回すことができる。
【００２４】
入力操作装置３は枠体３０の脇部３０２の先端部に設定される不図示の回動支点Ｐｉｖ．を中心に筐体天面２１（すなわち凹ステージ２１１の底床。）に沿って所定の範囲で回動可能に配設される。すなわち、入力操作装置３は、平面視において変位自在に構成される。
【００２５】
図６は入力操作装置３の回動機構を分解して示すものである。入力操作装置３の回動を可能にするため、凹ステージ２１１の底床の一部は図示のような床板２１２に置換される。床板２１２に置換される部分は回動支点に近い部分であり、この部分であれば凹ステージ２１１が露出しても床板２１２は入力操作装置３の下に隠れて露出しないため目立つことがない。床板２１２にはビス１１Ａ，１１Ｂ，１１Ｃが取り付く３つの取付孔２１３Ａ，２１３Ｂ，２１３Ｃが形成される。
【００２６】
入力操作装置３の枠体３０の底面の一部も図示のような底板３２に置換される。底板３２は前記取付孔に対応して、１つの丸孔３３と、回動範囲を規制する２つの円弧孔３４Ａ，３４Ｂと、を備える。丸孔３３はビス１１Ａが挿通され、入力操作部３１の回動支点Ｐｉｖ．を規定する。円弧孔３４Ａ，３４Ｂはビス１１Ｂ，１１Ｃがそれぞれ挿通され、入力操作部３１の回動範囲（図３中の符号θ２参照。）を規制する。円弧孔３４Ａ，３４Ｂ、ビス１１Ｂ，１１Ｃは、この発明の規制部材に相当する。
【００２７】
入力操作装置３の回動範囲を規制することで範囲内のいずれの位置でも筐体天面２１（すなわち凹ステージ２１１の底床。）が入力操作装置３の土台として機能し得るので入力操作部３１の作業性が安定する。
【００２８】
円弧孔３４Ａに挿入されるビス１１Ｂと底板３２との間にはワッシャ１２および板バネ１３が挟まれる。ワッシャ１２および板バネ１３はこの発明の固定手段の一例である。固定手段は底板３２を床板２１２側に押圧することで、摩擦力（特に静摩擦力。）を上昇させる。これによって回動範囲の任意の位置で入力操作装置３が固定されるため、入力操作部３１の作業性がより安定する。なお、板バネ１３に代えてコイルバネを用いてもよい。
【００２９】
入力操作装置３の回動支点Ｐｉｖ．は枠体の脇部の先端部に位置しており、凹ステージ２１１の開口の奥に挿入されている。このため小さな回動範囲でも回動ストロークを多くとることができ、入力操作装置３をダイナミックに動かすことが可能である。
【００３０】
上記回動機構によって入力操作装置３は使用位置を可変される。すなわち、入力操作部３１の角度が変更される。入力操作装置３は安定した土台（筐体天面２１）に支持されるので使用位置が変更されても操作性が低下しない。また、使用位置が変位しても筐体２外への入力操作装置３のはみ出しが少ないので可動式の入力操作装置３を省スペースに設置可能である。
【００３１】
図２に示すように、表示装置４は正面側に表示部４１が形成される。表示装置４は一例として薄型ディスプレイが好適に用いられる。表示装置４は筐体天面２１の端部（右側面２４側。）の奥方に設置された支持構造体１５を用いて支持される。表示装置４は筐体天面２１以上の高さであって入力操作装置３よりも奥方に配設される。なお、表示装置４の配設位置は、必ずしも筐体天面２１の端部に限らない。
【００３２】
図５に示すように、支持構造体１５は支柱１５１、支持アーム１５２および回動部材１５３を備える。支持アーム１５２は堅牢な支柱１５１の上端に回動自在に設けられる。回動部材１５３は支持アーム１５２の先端に取付けられ、表示装置４の背面に結合される。
【００３３】
支持アーム１５２の図３の矢印θ１のように回動範囲は何らかの方法で規制されても良い。また支持アーム１５２の回動に制動を掛けることで、表示装置４にユーザの身体がぶつかった拍子などに表示装置４が予期せぬ位置に移動することが防がれる。
【００３４】
回動部材１５３の回動範囲は何らかの方法で規制されても良い。また回動部材１５３の回動に制動を掛けることで表示装置４を固定する制動手段も含んでいる。本実施形態では回動部材１５３が、水平方向の回動（いわゆるヨー動作。）に対応した回動部材であるがこれに限定されない。回動部材１５３に、この水平回動に垂直方向の回動（いわゆるピッチ動作。）を組み合わせた２方向の回動を可能にする回動部材を用いてもよく、表示装置４の自在な首振り運動を実現できる。
【００３５】
この支持構造体１５を用いることで表示装置４は支持アーム１５２の回動及び回動部材１５３の回動の組み合わせで使用位置を種々変更できる。表示装置４の使用位置は具体的には表示部４１の角度で規定され、より詳しくは、入力操作装置３の正面に立ったユーザを基準にして、表示部４１を対象とする視線方向および視認角度によって規定される。
【００３６】
入力操作装置３は表示部４１を視認しやすい位置に回動される。表示部４１を視認しやすい位置の具体例は入力操作装置３が表示部４１に正対される位置が挙げられる。
【００３７】
図３に示すように、支持アーム１５２の回動範囲は一例として支持アーム１５２が筐体正面２２方向を指す方向を等分線としてその両側に均等な振り角を配分した角度である。このとき表示装置４の基準位置（ホームポジションＨＰ。）は支持アーム１５２の回動範囲の端部（同図では右端。）に偏った位置（同図支持アーム１５２の実線位置参照。）に設定される。なぜなら、このホームポジションＨＰでは嵩張る表示装置４が筐体天面２１の上空にないので開閉カバー５の開閉に干渉することがないからである。また表示装置４と入力操作装置３が近すぎず遠すぎず、ほどよい距離感で表示部４１を見ながら入力操作部３１に対する操作を行える。
【００３８】
表示装置４をホームポジションＨＰから筐体正面２２側へ移動させることができるメリットとして、筐体２内で用紙ジャムが発生した際に筐体右側面２４の扉を開き、ユーザがジャム処理を行う際に、表示装置４に頭をぶつけるのを防止できることが挙げられる。
【００３９】
表示装置４がこのホームポジションＨＰで使用されることが多いことに考慮して、入力操作装置３の回動支点Ｐｉｖ．は筐体天面２１における支持構造体１５の設置位置から遠い側の幅方向端部（同図では左端部。）に設定しておくことが望ましい。なぜなら、ホームポジションＨＰに設定された表示装置４の表示部４１を入力操作装置３側に常に傾けておけば（同図表示装置４の実線位置参照。）、入力操作装置３の右端部を凹ステージ２１１から手前に引き出すだけで表示部４１にすばやく正対させることができるからである。また、作業を終えて入力操作装置３を凹ステージ２１１に戻すことを忘れることが少ない点でも合理的な設計といえる。
【００４０】
本発明の第２の実施形態として、表示部４１が、タッチパネルの機能を備えていても構わない。タッチキーによるコピー、スキャナ、プリント等のモード選択等の入力については表示部４１から行い、原稿読取装置（不図示）によりスキャンされた原稿を、電子メールに添付して相手に送信する機能を使用する際のアドレス入力等については、入力操作部３１から行う。
【００４１】
本発明の第３の実施形態として、入力操作装置３は筐体天面２１に対する入力操作部３１の傾斜角を所定の範囲内で変位自在に構成される。
【００４２】
図７に示すように、入力操作装置３は、背面側が筐体天面２１に取付けられ、筐体天面２１の凹ステージ２１１の上方に配設される。入力操作装置３は、破線で示す水平位置と実線で示す傾斜位置の間で回動自在に構成されており、水平位置、傾斜位置、および水平位置と傾斜位置の間の任意の位置で傾斜位置を保持するように構成されている。
【００４３】
具体的には、図８（Ａ）に示すように、入力操作装置３は、回動軸５１、圧縮コイルバネであるバネ５２１，５２２、およびワッシャ５３１〜５３４を備え、入力操作部３１の正面視における両端部から背面側に突出する凸部３０３，３０４が形成されている。
【００４４】
凸部３０３，３０４は、回動軸５１によって貫通されるための貫通孔（不図示）が形成されており、回動軸５１と一体回転するために貫通孔に回動軸５１が固着されている。筐体２のフレーム５４１〜５４３は、回動軸５１を軸支するための軸受孔（不図示）が形成されており、軸受孔に軸受（不図示）を介して回動軸５１が嵌め込まれる。これにより、入力操作装置３は、回動軸５１の回動に伴って回動自在に構成され、筐体２に支持される。
【００４５】
また、凸部３０３とフレーム５４２との間に、ワッシャ５３１、バネ５２１、ワッシャ５３２を配置し、フレーム５４２と凸部３０３との間に、ワッシャ５３３、バネ５２２、ワッシャ５３４を配置する。これにより、バネ５２１が凸部３０３とフレーム５４１とを離間する方向に付勢し、バネ５２２が凸部３０４とフレーム５４３とを離間する方向に付勢するため、入力操作装置３は、水平位置、傾斜位置、および水平位置と傾斜位置の間の任意の位置で傾斜位置を保持することができる。バネ５２１，５２２およびワッシャ５３１〜５３４は、この発明の固定手段の一例である。
【００４６】
また、入力操作装置３は、正面視して両端部から外方に突出する突起３０５，３０６が形成されている。突起３０５，３０６は例えばビスである。フレーム５４１は、図８（Ｂ）に示すように、円弧孔５５１が形成されており、円弧孔５５１が突起３０５によって貫通される。フレーム５４３にも、フレーム５４１と同様に円弧孔（不図示）が形成されており、円弧孔が突起３０６によって貫通される。これにより、入力操作装置３の回動範囲を所定の範囲内に規制する。円弧孔５５１、フレーム５４３の円弧孔、および突起３０５，３０６は、この発明の規制部材に相当する。なお、円弧孔５５１、フレーム５４３の円弧孔は、少なくとも一方が形成されればよく、突起３０５，３０６は円弧孔に対応して設ければよい。
【００４７】
また、フレーム５４１，５４２は、円弧孔に代えて、少なくとも一方に複数の孔を円弧状に並列させて形成してもよい。これにより、入力操作装置３は、突起３０５，３０６を複数の孔のいずれかに嵌め入れることで、回動範囲を規制するとともに、水平位置、傾斜位置、および水平位置と傾斜位置の間の１以上の所定の位置で、傾斜位置を保持することができる。
【００４８】
以上より、表示装置４の表示部４１の位置に応じて、入力操作装置３の入力操作部３１の位置を変位させることができる。このため、表示装置４の表示部４１の視認性を確保しつつ、入力操作装置３の入力操作部３１の操作性を損なうことがない。
【００４９】
なお、図９に示すように、入力操作装置３は、正面側が筐体天面２１の凹ステージ２１１に取付けられ、破線で示す水平位置と実線で示す傾斜位置の間で回動自在に構成されてもよい。また、入力操作装置３は、フレーム５４１〜５４３によって両端で支持されたが、片持ち支持されてもよい。
【００５０】
また、入力操作装置３は、筐体天面２１の凹ステージ２１１上で背面側から正面側に変位自在に構成されてもよく、凹ステージ２１１上から凹ステージ２１１の外方へ露出するようにして、背面側から正面側に変位自在に構成されてもよい。入力操作装置３は、凹ステージ２１１上と凹ステージ２１１の上方との間で、上下方向へ変位自在に構成されてもよく、筐体２の内部から外部へ引き出し自在に構成されてもよい。また、上述した複数の変位の中から２以上を選択して組み合わせてもよい。例えば、入力操作装置３を筐体天面２１に沿って変位させるとともに、筐体天面２１に対する入力操作部３１の傾斜角を変位させてもよい。
【００５１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【００５２】
そして、この発明の画像形成装置は、筐体、入力操作装置、および表示装置を備える。入力操作装置は、上面側に入力操作部を有し、筐体天面の正面側に配設される。入力操作装置は入力操作部の位置を可変に構成される。表示装置は、正面側に表示部を有し、筐体天面以上の高さであって入力操作装置よりも奥方に配設される。表示装置は表示部の位置を可変に構成される。
【００５３】
この構成によると、入力操作装置が安定した土台（筐体天面）に支持されるので入力操作部の位置が変更されても操作性が低下しない。また、入力操作部の位置が変位しても筐体外への入力操作装置のはみ出しが少ないので省スペースを実現可能である。さらに、表示装置の表示部を視認しやすい位置に入力操作装置の使用位置が変更される。表示装置の具体例は薄型ディスプレイである。入力操作部には例えば複数のハードウェアキーが配列される。入力操作部にさらにポインティングデバイスが一体に設けられてもよい。
【００５４】
また、入力操作装置が使用位置を可変に構成されるとは具体的には入力操作装置が平面視において変位自在に構成されることである。
【００５５】
また、入力操作装置が使用位置を可変に構成されるとは具体的には入力操作装置が筐体天面に対する入力操作部の傾斜角が変位自在に構成されることである。
【００５６】
また、入力操作装置の変位量を所定の範囲で規制する規制部材を備える。これにより、入力操作装置は、筐体外へのはみ出しを少なくでき、省スペース化を実現できる。
【００５７】
また、表示装置を支持する支持構造体は平面視において筐体天面の端部に設置されており、入力操作装置は、平面視において支持構造体の設置位置から遠い側の端部を支点として、支持構造体の設置位置から近い側の端部を変位させる。これによって、筐体上方の空間を有効利用した省スペースな表示装置の設置が可能となる。また、入力操作装置の変位範囲を規制することで範囲内のいずれの位置でも筐体天面が入力操作装置の土台として機能し得るので入力操作部の操作性が安定する。
【００５８】
また、入力操作装置の変位量の範囲内の複数の位置のそれぞれで入力操作装置を固定するための制動手段を備えることで、いずれの位置でも入力操作装置が固定されるので、入力操作部の作業性がより安定する。
【００５９】
また、表示装置を支持する支持構造体は、筐体天面に取付けられる支柱と、支柱に回動自在に固定される支持アームと、支持アームの先端に配設される回動部材と、を備える構成が挙げられる。
【符号の説明】
【００６０】
１…画像形成装置
２…筐体（２１…筐体天面、２１１…凹ステージ）
３…入力操作装置（３１…入力操作部、３１１…ハードウェアキー、３１２…ポインティングデバイス）
４…表示装置、４１…表示部
１５…支持構造（１５１…支柱、１５２…支持アーム、１５３…回動部材）
【図１】
2018012342.tif 000003
【図２】
2018012342.tif 000004
【図３】
2018012342.tif 000005
【図４】
2018012342.tif 000006
【図５】
2018012342.tif 000007
【図６】
2018012342.tif 000008
【図７】
2018012342.tif 000009
【図８】
2018012342.tif 000010
【図９】
2018012342.tif 000011